(57)【要約】【課題】  広告媒体を受け取った者が利用する度に広告面が目に止まって広告宣伝効果が大きく、プリペイドカードを介してサービスを提供する者にとっても有益な広告媒体を提供する。【解決手段】  広告情報表示領域２と、カードを特定する特定情報表示領域３に記載された情報に基づき、プリペイドカードとして利用可能な広告媒体１。特定情報表示領域３に記載された情報に基づき、チャージして継続して使用することができたり、該カードのプリペイドカードとしての利用以外の目的で、提供を受けた商品またはサービスに対する対価を支払うようにしてもよい。カードによって提供されるサービスを所定の時間無料で受けることができる時間を設定し、その時間を表示すると、広告媒体１の配布を受けた者が広告媒体１を保管する可能性がさらに高くなり、サービス提供者にとっても、自己のサービスの利用促進を図ることができる。【選択図】  図１
2005215121.tif 000002
【特許請求の範囲】
【請求項１】
広告情報表示領域と、
カードを特定する特定情報表示領域とを備え、
該特定情報表示領域に記載された該カードを特定する情報に基づき、プリペイドカードとして利用可能であることを特徴とする広告媒体。
【請求項２】
前記特定情報表示領域に記載された該カードを特定する情報に基づき、チャージすることによってプリペイドカードとして継続して使用することができることを特徴とする請求項１記載の広告媒体。
【請求項３】
前記特定情報表示領域に記載された該カードを特定する情報に基づき、該カードのプリペイドカードとしての利用以外の目的で、該カードを利用して提供を受けた商品またはサービスに対する対価を支払うことができることを特徴とする請求項１または２記載の広告媒体。
【請求項４】
前記カードによって提供されるサービスを所定の時間無料で受けることができる時間を設定し、該時間を表示したことを特徴とする請求項１、２または３記載の広告媒体。
【請求項５】
前記プリペイドカードとして利用可能なサービスは、携帯電話サービスであることを特徴とする請求項１乃至４のいずれかに記載の広告媒体。
【発明の詳細な説明】
【技術分野】
【０００１】
本発明は、広告媒体に関し、特に、商品の販売促進、サービスの利用促進及び利用者の囲い込み等に有効な広告媒体に関する。
【背景技術】
【０００２】
従来、商品の販売促進、サービスの利用促進等を図るため、街頭で、広告情報を印刷したチラシ、広告印刷物を透明の袋に封入したティッシュペーパー、広告を印刷した団扇等を配布することが行われている。
【０００３】
また、特許文献１には、矩形状に成形されたプラスチック板の表面に広告宣伝情報を印刷し、デジタル情報記録部に記録したアプリケーションソフトを使用する都度ＣＤドライブにセットして、頻繁に利用されることを図った広告媒体が開示されている。
【０００４】
一方、従来、表示された金額分の電話、買い物または列車や車両等の利用が可能なプリペイドカードが用いられている。このプリペイドカードは、表示された金額分を使い終わると廃棄されるものもあるが、さらにカードにチャージすることによって、チャージされた金額分のサービスを受けることができるものも存在する。このようなプリペイドカードは、サービスを受ける度に現金を支払う必要がなく、持ち運びにも便利で、通常より余計にサービスを受けることができたりするため、種々の分野で普及している。
【０００５】
【特許文献１】特開２００３−３１６３１０号公報
【発明の開示】
【発明が解決しようとする課題】
【０００６】
しかし、街頭で広告情報を印刷したチラシを配布するだけでは、歩行者等がチラシを受け取る割合が低く、仮に受け取った場合でも、すぐに捨てられることが多く、広告宣伝効果は小さかった。
【０００７】
また、広告印刷物を透明の袋に封入したティッシュペーパー等については、街頭で受け取られる割合はチラシよりも高くなり、受け取られた後すぐに捨てられることもないが、ティッシュペーパー等を受け取った者がこれを取り出して広告情報を目にすることが必ずしも多いとはいえず、配布に要するコストに見合うだけの商品の販売促進等の効果を奏することには困難があった。
【０００８】
さらに、特許文献１に記載の広告媒体は、パーソナルコンピュータ等を利用することができる者に対しては有効な面もあるが、その他の者には効果がないという問題があった。
【０００９】
一方、上記プリペイドカードを介してサービスを提供する者にとっても、プリペイドカードを介して自己のサービスをより効率的に提供したり、プリペイドカードを介して他のサービスとの組み合わせを図ること等によって、さらに機能的なものとする試みがなされていた。
【００１０】
そこで、本発明は、上記従来の広告媒体における問題点等に鑑みてなされたものであって、広告媒体を受け取った者が頻繁に取り出して利用することを促し、広告媒体を利用する度に広告面が利用者の目に止まることにより、広告宣伝効果の大きい広告媒体を提供すると同時に、プリペイドカードを介してサービスを提供する者にとっても有益な広告媒体を提供することを目的とする。
【課題を解決するための手段】
【００１１】
上記目的を達成するため、本発明は、広告媒体であって、広告情報表示領域と、カードを特定する特定情報表示領域とを備え、該特定情報表示領域に記載された該カードを特定する情報に基づき、プリペイドカードとして利用可能であることを特徴とする。
【００１２】
そして、本発明によれば、プリペイドカードとして利用可能なカードに広告情報を表示するため、この広告媒体を受け取った者が頻繁にこれを取り出して利用することを促すことができ、利用する度に広告面が利用者の目に止まり、広告宣伝効果が大きくなる。また、この広告媒体は、カード状であるため、受け取る者及び配布する者の両方にとって携帯に便利で、保管スペースを節約することができる。さらに、従来にない広告媒体として、訴求効果に優れ、同業他社との差別化を実現し、企業、商品、サービス等への認知を長期間継続して向上させることができる。さらに、プリペイドカードを介してサービスを提供する者にとっても、プリペイドカードの利用率が高まるとともに、広告料を得ることもでき、一挙両得となる。
【００１３】
前記広告媒体において、前記特定情報表示領域に記載された該カードを特定する情報に基づき、チャージすることによってプリペイドカードとして継続して使用することができるように構成することができる。これによって、チャージする度にサービス利用者が広告媒体に記載された広告を目にするため、広告宣伝効果が大きくなるとともに、プリペイドカードを介してサービスを提供する者にとっても、サービスの利用促進を図ることができる。
【００１４】
前記広告媒体において、前記特定情報表示領域に記載された該カードを特定する情報に基づき、該カードのプリペイドカードとしての利用以外の目的で、該カードを利用して提供を受けた商品またはサービスに対する対価を支払うことができるように構成することができる。該カードを利用して受ける商品またはサービスとは、インターネットや、電話等を介して注文した商品またはサービスに対する支払い等がある。これによって、さらに、広告媒体を多機能に構成することができ、広告宣伝効果がさらに大きくなる。
【００１５】
前記広告媒体において、前記カードによって提供されるサービスを所定の時間無料で受けることができる時間を設定し、該時間を表示することができる。これによって、広告媒体の配布を受けた者が該広告媒体を保管する可能性がさらに高くなり、サービス提供者にとっても、自己のサービスの利用促進を図ることができる。
【００１６】
前記プリペイドカードとして利用可能なサービスを、携帯電話サービスとすることができる。
【発明の効果】
【００１７】
以上説明したように、本発明によれば、広告媒体を受け取った者が頻繁に取り出して利用し、広告媒体を利用する度に広告面が利用者の目に止まり、広告宣伝効果が大きく、プリペイドカードを介してサービスを提供する者にとっても有益な広告媒体を提供することができる。
【発明を実施するための最良の形態】
【００１８】
図１は、本発明にかかる広告媒体の一実施の形態を示し、この広告媒体１は、プラスチック等によって矩形板状に形成され、表面に広告情報が印刷される広告情報表示領域２と、このカードを特定するための情報表示が記載される特定情報表示領域３と、その他の情報表示領域４等を備える。
【００１９】
広告情報表示領域２に記載される広告情報は、商品の販売促進、サービスの利用促進等を図るための情報等であり、従来、配布されているティッシュペーパーや団扇等に掲載されるものと同様の情報である。
【００２０】
特定情報表示領域３に記載されるカードを特定するための情報とは、カード番号等であって、バーコード等の情報読取装置等を用いて読み取ることのできるコードで表示された情報を含み、この広告媒体１をプリペイドカードとして利用するために必要な情報である。
【００２１】
その他の情報表示領域４は、この広告媒体１に関連する各種情報を記載する領域である。
【００２２】
次に、上記構成を有する広告媒体１の使用方法について説明する。尚、以下の説明においては、この広告媒体１を、携帯電話サービスを受ける場合のプリペイドカードとして利用する場合を例にとって説明する。
【００２３】
携帯電話サービスの提供者（以下、「サービス提供者」という）は、例えば、１枚当たりの広告掲載料を設定して広告の掲載を希望する者を募り、広告の掲載について契約がなされると、広告情報表示領域２に広告掲載者のための広告情報を印刷した広告媒体１を製造する。
【００２４】
一方、サービス提供者は、自己の携帯電話サービスを提供するため、例えば、３００秒の無料携帯電話サービスを受けることができるように、広告媒体１の表示領域４にその秒数を表示するとともに、プリペイドカードとして利用するため、広告媒体１を特定するためのカード番号を特定情報表示領域３に表示する。
【００２５】
次に、サービス提供者は、街頭、またはイベント会場、店舗等において、上記広告媒体１を歩行者、イベントへの参加者等に配布する。
【００２６】
広告媒体１を受け取った者は、広告媒体１の広告情報表示領域２に広告情報が表示されているため、この情報を目にするとともに、広告媒体１の表示領域４に３００秒の無料の携帯電話サービスを受けることができるように表示されているため、取り敢えず、受け取った広告媒体１を財布、カード入れ等にしまい込む。
【００２７】
広告媒体１を受け取った者は、サービス利用者となり、受け取った広告媒体１を利用して３００秒の無料携帯電話サービスを受ける。そして、３００秒の無料携帯電話サービスを受け終わると、広告媒体１に記載された案内に従って、チャージ業者等を介して広告媒体１にチャージを行って継続してサービス提供者からの携帯電話サービスを受けることができる。
【００２８】
以上説明したように、本発明にかかる広告媒体によれば、広告掲載者にとっては、従来ようなティッシュペーパーや団扇を介して広告する場合に比較して、低コストでかつより広告効果の大きい広告媒体を提供することができるとともに、プリペイドカードを介してサービスを提供する者にとっても、プリペイドカードの利用率が高まるとともに、広告掲載者から広告料を得ることもでき、一石二鳥の効果を得ることができる。
【００２９】
尚、広告媒体１の特定情報表示領域３に記載された該広告媒体１を特定する情報に基づき、該広告媒体１のプリペイドカードとしての利用以外の目的で、該広告媒体１を利用して提供を受けた商品またはサービス、例えば、インターネットや、電話等を介して注文した商品またはサービスに対する支払いを行うことができる。これによって、多機能な広告媒体１としてさらに利用価値を高めることができる。
【００３０】
また、上記実施の形態においては、本発明にかかる広告媒体を携帯電話サービスを提供するためのプリペイドカードとして用いた場合について説明したが、携帯電話サービスに限らず、商品の提供、列車や車両による輸送サービス等、プリペイドカードを介して提供することのできるすべてのサービスについて本発明を適用することができる。
【００３１】
さらに、本発明にかかる広告媒体をプリペイドカードとして利用することを促進するため、上記実施の形態では、表示領域４に３００秒の無料の携帯電話サービスを受けることができる旨表示したが、配布したプリペイドカードに関連するその他の無料サービスであってもよく、また、無料サービスではなくとも、需用者にとって有益な情報等を記載し、配布を受けた者が容易に広告媒体を廃棄することができないような方策をとることができる。
【図面の簡単な説明】
【００３２】
【図１】本発明にかかる広告媒体の一実施の形態を示す平面図である。
【符号の説明】
【００３３】
１    広告媒体
２    広告情報表示領域
３    特定情報表示領域
４    表示領域
【図１】
2005215121.tif 000003